(57)【要約】【課題】静止画像再生時の多様な楽しみ方ができる画像再生装置を提供する。【解決手段】ＤＶＤ−Ａｕｄｉｏ規格のディスク１０に記録された複数の静止画像を切り替えて再生できる画像再生装置１において、予め決められたカットイン／アウト、フェードイン／アウト、ディゾルブ、ワイプから成る複数の視覚効果からユーザーにより設定された視覚効果を常に施して静止画像を切り替えることができるとともに、ユーザーにより設定された視覚効果の発生頻度を高くしてランダムに各視覚効果を施して静止画像を切り替えることができるようにした。【選択図】      図２
2004328691.tif 000002
【特許請求の範囲】
【請求項１】
ＤＶＤ−Ａｕｄｉｏ規格のディスクに記録された複数の静止画像を切り替えて再生できる画像再生装置において、予め決められた複数の視覚効果からユーザーにより設定された視覚効果を常に施して静止画像を切り替えることができるとともに、ユーザーにより設定された視覚効果の発生頻度を高くしてランダムに各視覚効果を施して静止画像を切り替えることができることを特徴とする画像再生装置。
【請求項２】
記録媒体に記録された複数の静止画像を切り替えて再生できる画像再生装置において、予め決められた複数の視覚効果からユーザーにより設定された視覚効果を常に施して静止画像を切り替えることができることを特徴とする画像再生装置。
【請求項３】
記録媒体に記録された複数の静止画像を切り替えて再生できる画像再生装置において、予め決められた複数の視覚効果からユーザーにより設定された視覚効果の発生頻度を高くしてランダムに各視覚効果を施して静止画像を切り替えることができることを特徴とする画像再生装置。
【請求項４】
ユーザーにより設定された視覚効果を常に施して静止画像を切り替えることができることを特徴とする請求項３に記載の画像再生装置。
【請求項５】
前記記録媒体はＤＶＤ−Ａｕｄｉｏ規格のディスクから成ることを特徴とする請求項２または請求項３に記載の画像再生装置。
【請求項６】
前記視覚効果は、カットイン／アウト、フェードイン／アウト、ディゾルブ及びワイプから成ることを特徴とする請求項１〜請求項５のいずれかに記載の画像再生装置。
【発明の詳細な説明】
【０００１】
【発明の属する技術分野】
本発明は、ＤＶＤ−Ａｕｄｉｏ等のディスク等に記録された静止画を再生できる画像再生装置に関する。
【０００２】
【従来の技術】
ＤＶＤ−Ａｕｄｉｏ規格のディスクは音声、動画像及び静止画像のデジタル信号が記録されており、音楽等を再生しながら静止画像を切り替えて表示することができる。これにより、楽曲の歌詞や曲目、アーティストの画像等を切り替えて表示することができるようになっている。
【０００３】
静止画像の切り替え時には、非特許文献１に開示されるように、カットイン／アウト、フェードイン／アウト、ディゾルブ、ワイプから成る視覚効果を施して切り替えることができるようになっている。各視覚効果は制作時に予めディスクに記録され、ディスクを再生することにより各視覚効果を施して静止画像が切り替えられる。
【０００４】
また、ディスクを再生する画像再生装置には各視覚効果を施すことのできる信号処理部が設けられている。これにより、静止画像の切り替え時の視覚効果が記録されていないディスクを再生する際に所定の視覚効果を施して切り替えることができるようになっている。
【０００５】
【非特許文献１】
パイオニア（株）、”ＤＶＤ技術解説”、第５章  オーディオフォーマット，  ５．４付加情報，  ５−４−１静止画情報（３）、［ｏｎｌｉｎｅ］、最終更新日平成１５年３月３日、パイオニア（株）、［平成１５年４月１５日検索］、インターネット＜ＵＲＬ：  ｈｔｔｐ：／／ｗｗｗ．ｐｉｏｎｅｅｒ．ｃｏ．ｊｐ／ｃｒｄｌ／ｔｅｃｈ／ｄｖｄ／５−４．ｈｔｍｌ＞
【０００６】
【発明が解決しようとする課題】
しかしながら、上記従来の画像再生装置によると、静止画像の切り替え時の視覚効果が記録されないディスクを再生する際に、画像再生装置によって決められた視覚効果を施して静止画像が切り替えられる。このため、静止画像再生時の多様な楽しみ方ができない問題があった。
【０００７】
本発明は、静止画像再生時の多様な楽しみ方ができる画像再生装置を提供することを目的とする。
【０００８】
【課題を解決するための手段】
上記目的を達成するために本発明は、ＤＶＤ−Ａｕｄｉｏ規格のディスクに記録された複数の静止画像を切り替えて再生できる画像再生装置において、予め決められた複数の視覚効果からユーザーにより設定された視覚効果を常に施して静止画像を切り替えることができるとともに、ユーザーにより設定された視覚効果の発生頻度を高くしてランダムに各視覚効果を施して静止画像を切り替えることができることを特徴としている。
【０００９】
この構成によると、静止画像の切り替え時の視覚効果が記録されないディスクを再生する際に、ユーザーの設定によって指定された視覚効果を常に施して静止画像が切り替えられる。また、複数の視覚効果をランダムに施して静止画像が切り替えられ、視覚効果をユーザーが設定すると設定した視覚効果の発生頻度が高くなる。
【００１０】
また本発明は、記録媒体に記録された複数の静止画像を切り替えて再生できる画像再生装置において、予め決められた複数の視覚効果からユーザーにより設定された視覚効果を常に施して静止画像を切り替えることができることを特徴としている。
【００１１】
また本発明は、記録媒体に記録された複数の静止画像を切り替えて再生できる画像再生装置において、予め決められた複数の視覚効果からユーザーにより設定された視覚効果の発生頻度を高くしてランダムに各視覚効果を施して静止画像を切り替えることができることを特徴としている。
【００１２】
また本発明は、上記構成の画像再生装置において、前記視覚効果は、カットイン／アウト、フェードイン／アウト、ディゾルブ及びワイプから成ることを特徴としている。
【００１３】
【発明の実施の形態】
以下に本発明の実施形態を図面を参照して説明する。図１は一実施形態の画像再生装置を示すブロック図である。画像再生装置１はＤＶＤ−Ｖｉｄｅｏ規格に基づく音声及び動画を再生するとともに、ＤＶＤ−Ａｕｄｉｏ規格に基づく音声、動画及び静止画を再生できるようになっている。
【００１４】
画像再生装置１には各部を制御するシステムコントローラ６０が設けられる。システムコントローラ６０には、サーボ制御部１８、デジタル信号処理部２４、ストリーム分離部３０、オーディオデコーダ３２、ビデオデコーダ３６、サブピクチャデコーダ４０、ビデオプロセッサ４４、操作部５８、ＲＡＭ６２が接続される。
【００１５】
サーボ制御部１８は、システムコントローラ６０の指示に応じて、スピンドルモータ１２、送りモータ１６及び光ピックアップ１４内の対物レンズ（不図示）を駆動する。スピンドルモータ１２はディスク１０を所定の回転数で回転させる。送りモータ１６は光ピックアップ１４をディスク１０の径方向に移動させる。
【００１６】
光ピックアップ１４は半導体レーザ及びホトダイオードを有し、対物レンズの移動によって半導体レーザの焦点位置を可変してディスク１０に記録されたデータを検出する。光ピックアップ１４のホトダイオードから出力される電気信号はＲＦアンプ２２で増幅してサーボ制御部１８に送られる。これにより、サーボ制御部１８はディスク１０のデータ読み取りに必要な各種のサーボ制御を行う。
【００１７】
デジタル信号処理部２４はＲＦアンプ２２から出力される信号をデジタルデータに変換した後、ディスク１０のデータフォーマットに応じた信号復調処理と誤り訂正処理を行う。デジタル信号処理部２４により生成されたデータはＲＡＭ２６に格納される。
【００１８】
ストリーム分離部３０は、システムコントローラ６０の指示に応じて、デジタル信号処理部２４から出力されるデータストリームを分離する。分離されたデータ信号はシステムコントローラ６０に転送され、各トラックのオーディオ情報がオーディオデコーダ３２に出力される。
【００１９】
オーディオデコーダ３２はストリーム分離部３０から出力されるオーディオ情報をＲＡＭ３４に一時格納する。そして、システムコントローラ６０の指示に従ってＲＡＭ３４からオーディオ情報を読み出して所定のデコード処理を行う。オーディオデコーダ３２に接続されるデジタル−アナログ変換器４８は、オーディオデコーダ３２から出力されるデータをアナログのオーディオ信号に変換する。アナログのオーディオ信号がオーディオデコーダ３２に接続されたスピーカ４９に出力されることによって音声の再生が行われる。
【００２０】
ビデオデコーダ３６はストリーム分離部３０から出力される動画や静止画の画像情報をＲＡＭ３８に一時格納する。そして、システムコントローラ６０の指示に従ってＲＡＭ３８から画像情報を読み出して所定のデコード処理を行う。サブピクチャデコーダ４０はストリーム分離部３０から出力されるサブピクチャ情報をＲＡＭ４２に一時格納する。そして、システムコントローラ６０の指示に従ってＲＡＭ４２からサブピクチャ情報を読み出して所定のデコード処理を行う。
【００２１】
ビデオプロセッサ４４はビデオデコーダ３６から出力されるデータとサブピクチャデコーダ４０から出力されるデータとを合成してビデオエンコーダ４６に出力する。ビデオエンコーダ４６はビデオプロセッサ４４から出力される合成データを表示用の映像信号に変換してディスプレイ装置４７に出力する。これにより、ディスプレイ装置４７に静止画等の画像が表示される。
【００２２】
操作部５８は本体部及びリモートコントローラ（不図示）に設けられた複数の操作キーから成り、音声再生等を指示する各操作キーの操作状態に応じた信号をシステムコントローラ６０に出力する。また、ユーザーの操作によって画像再生装置１の各種設定を行うことができる。ＲＡＭ６２はシステムコントローラ６０の演算結果を一時記憶する。
【００２３】
上記構成の画像再生装置１において、ＤＶＤ−Ａｕｄｉｏ規格のディスク１０を装着して音声の再生を開始するとスピーカ４９から楽曲等が出力される。また、ディスプレイ装置４７には、楽曲の曲目、歌詞、アーティスト画像等から成る静止画像が所定の時期に順に切り替えて表示される。この時、所定の視覚効果を施して静止画像が切り換えられる。
【００２４】
視覚効果はＤＶＤ−Ａｕｄｉｏ規格によって、ＣｕｔＩｎ，  ＦａｄｅＩｎ，  Ｄｉｓｓｏｌｖｅ，  ＷｉｐｅＦｒｏｍＴｏｐ，  ＷｉｐｅＦｒｏｍＢｏｔｔｏｍ，  ＷｉｐｅＦｒｏｍＬｅｆｔ，  ＷｉｐｅＦｒｏｍＲｉｇｈｔ，  ＷｉｐｅＦｒｏｍＤｉａｇｏｎａｌＬｅｆｔ，  ＷｉｐｅＦｒｏｍＤｉａｇｏｎａｌＲｉｇｈｔ  の９種類が予め決められている。ＣｕｔＩｎはカットイン／アウトを示し、前の静止画像が瞬時に消えて次の静止画像が瞬時に現われる。ＦａｄｅＩｎはフェードイン／アウトを示し、前の静止画像が徐々に消えた後、次の静止画像が徐々に現われる。
【００２５】
Ｄｉｓｓｏｌｖｅはディゾルブを示し、前の静止画像が次第に消えて行くにつれて次の静止画像が溶け込むように入れ替わる。ＷｉｐｅＦｒｏｍＴｏｐ，  ＷｉｐｅＦｒｏｍＢｏｔｔｏｍ，  ＷｉｐｅＦｒｏｍＬｅｆｔ，  ＷｉｐｅＦｒｏｍＲｉｇｈｔ，  ＷｉｐｅＦｒｏｍＤｉａｇｏｎａｌＬｅｆｔ，  ＷｉｐｅＦｒｏｍＤｉａｇｏｎａｌＲｉｇｈｔはワイプを示し、前の静止画像の一部から次第に面積を広げながら次の静止画像に入れ替わる。それぞれ、上方、下方、左方、右方、左下、右下から徐々に面積を広げるようになっている。
【００２６】
図３は操作部５８により静止画像切り替え時の視覚効果を設定する設定画面を示している。設定画面には「ランダム（優先なし）」、「ランダム（優先あり）」、「固定」の各項目が表示され、カーソルＣを移動して選択できるようになっている。
【００２７】
「ランダム（優先なし）」は予め記憶された複数の視覚効果をランダムに抽出し、抽出された視覚効果を施して静止画像を切り替える。「ランダム（優先あり）」は複数の視覚効果をランダムに抽出する際に、指定した視覚効果が抽出される確率が高くなっている。「固定」は指定した視覚効果を常に施して静止画像を切り替える。
【００２８】
同図において「ランダム（優先あり）」を選択すると、図４に示す設定画面に切り替わる。設定画面には各視覚効果の項目が一覧表示され、カーソルＣを移動して選択できるようになっている。尚、「固定」を選択しても同様の画面が表示される。
【００２９】
図５は画像再生装置１に記憶されたテーブルの例を示しており、各視覚効果を抽出する重み付けを表わしている。「ランダム（優先なし）」に設定した時は各視覚効果が同じ「１」に重み付けされる。これにより、各視覚効果が抽出される確率が同じ１／９になる。
【００３０】
「ランダム（優先あり）」に設定した時は指定した視覚効果が「５」に重み付けされ、他の視覚効果が同じ「１」に重み付けされる。これにより、指定した視覚効果が抽出される確率は５／１３になり、他が１／１３になる。「固定」に設定した時は指定した視覚効果が「１」に重み付けされ、他の視覚効果が同じ「０」に重み付けされる。これにより、指定した視覚効果が常に抽出される。
【００３１】
図２は静止画像を切り替える際に呼び出される静止画像切り替え処理を示している。ステップ＃１１では、視覚効果が「固定」に設定されているか否かが判断される。視覚効果が「固定」の場合はステップ＃１５に移行する。ステップ＃１５では図４のテーブルに基づいて、指定された視覚効果が抽出され、ステップ＃１６に移行する。
【００３２】
視覚効果が「固定」でない場合はステップ＃１２で視覚効果が「ランダム（優先あり）」に設定されているか否かが判断される。視覚効果が「ランダム（優先なし）」の場合はステップ＃１４に移行する。この時、各視覚効果の抽出される確率は図４のテーブルに基づいて同じになるように初期設定されている。
【００３３】
視覚効果が「ランダム（優先あり）」の場合はステップ＃１３に移行する。ステップ＃１３では図４のテーブルに基づいて、指定された視覚効果の抽出される確率が高く設定される。ステップ＃１４では各視覚効果からランダムに視覚効果が抽出される。ステップ＃１６では抽出された視覚効果を施して静止画像が切り替えられる。
【００３４】
本実施形態によると、カットイン／アウト、フェードイン／アウト、ディゾルブ、ワイプから成る複数の視覚効果からユーザーにより選択された視覚効果を常に施して静止画像を切り替えることができる。また、各視覚効果からユーザーにより選択された視覚効果の発生頻度を高くして各視覚効果をランダムに施し、静止画像を切り替えることができる。従って、ユーザーの好みに応じた視覚効果を施して静止画像再生時の多様な楽しみ方ができる。
【００３５】
尚、本実施形態において、ＤＶＤ−Ａｕｄｉｏ規格のディスクに記録された静止画像を再生する場合について説明しているが、その他の規格に基づく光ディスク、磁気ディスク、磁気テープ等の記録媒体に記録された静止画像を再生する場合についても同様の効果を得ることができる。
【００３６】
【発明の効果】
本発明によると、予め決められた複数の視覚効果からユーザーにより選択された視覚効果を常に施して静止画像を切り替えることができる。また、また本発明によると、予め決められた複数の視覚効果からユーザーにより選択された視覚効果の発生頻度を高くしてランダムに各視覚効果を施して静止画像を切り替えることができる。従って、ユーザーの好みに応じた視覚効果を施して静止画像再生時の多様な楽しみ方ができる。
【図面の簡単な説明】
【図１】は、本発明の実施形態の画像再生装置の構成を示すブロック図である。
【図２】は、本発明の実施形態の画像再生装置の静止画切り替え処理の動作を示すフローチャートである。
【図３】は、本発明の実施形態の画像再生装置の視覚効果の設定画面を示す図である。
【図４】は、本発明の実施形態の画像再生装置の視覚効果の設定画面を示す図である。
【図５】は、本発明の実施形態の画像再生装置の視覚効果を抽出する重み付けを示すテーブルである。
【符号の説明】
１    画像再生装置
１０    ディスク
１４    光ピックアップ
２４    デジタル信号処理部
３０    ストリーム分離部
３２    オーディオデコーダ
３６    ビデオデコーダ
４０    サブピクチャデコーダ
４６    ビデオエンコーダ
４７    ディスプレイ装置
４８    Ｄ／Ａ変換部
４９    スピーカ
５８    操作部
６０    システムコントローラ
【図１】
2004328691.tif 000003
【図２】
2004328691.tif 000004
【図３】
2004328691.tif 000005
【図４】
2004328691.tif 000006
【図５】
2004328691.tif 000007